(57)【要約】【課題】魚が餌をくわえた時に錘の抵抗を感ずることなく浮きに直接魚信が出るようにした浮き釣り用の釣り具を提供する。【解決手段】中空パイプ2で浮き釣り用錘5を支持すると共にこの中空パイプ2が道糸11を遊動可能に通す。さらに、パイプ２が、窪み部２ｂを有し、錘７が、パイプ２の窪み部２ｂに嵌め込まれる、浮き釣りに必要な個数のリング状のものであって切欠部７ａを有するか、又は、二箇所の窪み部を有し、これらの窪み部間に取り付けたハガネにガン玉又はカミツブシを嵌め込む。【選択図】  図３
2004305108.tif 000002
【特許請求の範囲】
【請求項１】
浮き釣り用錘と、
該錘を支持すると共に浮きを付けた道糸を遊動可能に通す中空パイプと、
を備えたことを特徴とする釣り具。
【請求項２】
請求項１において、
該錘が、該パイプの外周に挿入される、浮き釣りに必要な個数のリング状のものであり、該パイプが、該錘を支持する張出端部をさらに有していることを特徴とした釣り具。
【請求項３】
請求項２において、
該錘を、該張出端部と共に該パイプの外周上で挟み込んで止めるための錘止めをさらに有していることを特徴とした釣り具。
【請求項４】
請求項２又は３において、
該張出端部が、該パイプの本体にネジ係合されていることを特徴とした釣り具。
【請求項５】
請求項１において、
該張出端部が、該パイプの本体と一体形成されており、該錘が、該パイプの本体の外周に嵌め込まれる、浮き釣りに必要な個数のリング状のものであって切欠部を有するものであることを特徴とした釣り具。
【請求項６】
請求項１において、
該パイプが窪み部を有し、該錘が、該パイプの窪み部に嵌め込まれる、浮き釣りに必要な個数のリング状のものであって切欠部を有するものであることを特徴とした釣り具。
【請求項７】
請求項１において、
該パイプが、二箇所の窪み部を有し、これらの窪み部間に取り付けたハガネにガン玉又はカミツブシを嵌め込むことを特徴とした釣り具。
【請求項８】
請求項１から７のいずれか１つにおいて、
該パイプの該道糸を通す孔の直径が、該パイプの下方の道糸に付けられるヨリモドシの直径より小さいことを特徴とした釣り具。
【発明の詳細な説明】
【０００１】
【発明の属する技術分野】
本発明は釣り具に関し、特に浮き釣り用遊動式仕掛けを構成する釣り具に関するものである。
【０００２】
【従来の技術】
海釣り等において、魚が餌（針）をくわえた時に魚に違和感を与えないということが重要であるが、このための種々の仕掛けが従来より用いられている。
図５〜図７はこのような仕掛けの従来例を示しており、これらは特に投げ釣り用遊動天秤として知られた釣り具を示している。
【０００３】
まず、図５に示す従来例（１）の場合には、ハガネ（鋼）３０に大きい輪３０ａと小さい輪３０ｂとを作り、小さい輪３０ｂから更にハガネ３０を下方に伸ばし、錘を吊るための吊輪３０ｃを作るために更に上方に伸びる形状とし、小さい輪３０ｂから大きい輪３０ａに伸びるハガネ部分と、小さい輪３０ｂから吊輪３０ｃに伸びるハガネ部分とをバネ３１を用いて図示のように押さえる。
【０００４】
そして、このバネ３１を矢印Ｂの方向に縮めることにより、吊輪３０ｃから伸びたハガネ３０の先端をバネ３１からはみ出させ、ここから吊輪３０ｃに錘３４を掛けるようにして、図示のような状態を作り出している。
そして、同図（２）に示すように、大きい輪３０ａと小さい輪３０ｂを共にヨリモドシ（サルカン）３３及びハリス３４を経て針３５に繋がっている道糸３２に通すことにより、ハガネ３０と錘３４とで天秤を構成した後、このような仕掛けを、海に投入したとき、海中においては、ハガネ３０は錘３４の重力に従い道糸３２に沿って針３５の方向に下がって行き、大きい輪３０ａはヨリモドシ３３を通るが、小さい輪３０ｂの内径がヨリモドシ３３の外径より小さく作られているので、ヨリモドシ３３の所で小さい輪３０ｂが止まることになる。
【０００５】
そして、魚（図示せず）が針３５の餌をくわえた時、ハリス３４及びヨリモドシ３３を経て道糸３２は矢印Ｃの方向に引っ張られるが、この時、魚は、餌をくわえた時に錘３４の抵抗（重さ）を感じること無く道糸３２を引っ張るので、釣り人はこの道糸３２の引きを魚信（あたり）として釣り竿（図示せず）から直接感じることができ、以て魚を逃がさずに釣ることを可能にしている。
【０００６】
図６（１）に示す従来例（２）の場合は、両端に蛍光プラスチック端部４０ａ及び４０ｂを設けた透明パイプ４０の中に道糸３２を通し、ヨリモドシ３３を経由してハリス及び針（図示せず）に繋ぐと共に、蛍光プラスチック端部４０ｂから図５の従来例（１）に示したのと同様にハガネ４１を下方に伸ばし、これを曲げて上方に伸ばした状態でバネ４２を掛けることにより吊輪４１ａを設けると共に、このバネ４２を上げることにより、従来例（１）と同様に錘３４を吊輪４１ａに吊り下げるようにしたものである。
【０００７】
同図（２）〜（５）はハガネ４１に対して、錘３４を取り付ける手順を示しており、まず同図（２）に示すように錘３４を吊輪４１ａに吊り下げた後、同図（３）に示すようにバネ４２を矢印Ｄで示すように上方に持ち上げると共に、同図（４）に示すようにバネ４２の片一方を他方に押し付けることにより、同図（５）に示すようにバネ４２をハガネ４２に挿入している。
【０００８】
このような従来例（２）の場合も、パイプ４０と錘３４とで天秤を構成し、且つこのパイプ４０がその錘３４の重さにより矢印Ｃの方向に下がって行くが、ヨリモドシ３３の外径より小さい内径を有する蛍光プラスチック端部４０ａによってヨリモドシ３３で止まることとなる。
【０００９】
そして、魚が餌をくわえたときには、やはり従来例（１）と同様に、魚は錘３４の重さを感ずることなく道糸３２を引っ張るので、釣り竿には直接魚信が伝わることとなる。
図７に示す従来例（３）の場合には、パイプ５０の中にスプリング５１を通し、このスプリング５１の両端にそれぞれ夜光玉（ビーズ玉）５２及び５３を取り付けると共に、夜光玉５２の方のスプリングをパイプ５０からはみ出させる。そして、図６の従来例（２）の蛍光プラスチック端部４０ｂの代わりに、ハガネ５４をパイプ５０に巻き付けると共に、このハガネ５４に対して吊輪５４ａとバネ５５を設け、上記の従来例（２）と同様に錘５４を吊輪５４ａに吊るしてパイプ５０と共に天秤を構成している。
【００１０】
なお、ヨリモドシ３３には内径の小さいビーズ５２が当接してパイプ５０が止まるようになるが、このときスプリング５１によって衝撃が緩和されるようになっている。
この他、投げ釣り用遊動式釣り具として、道糸、仕掛け、錘の支点をヨリモドシを介して一支点にし、且つ遊動型にし、道糸と仕掛けを逆Ｌ字天秤を介して直結し、錘の重さに左右されずに遊動式にした一支点遊動型逆Ｌ字天秤おもりがある（例えば、特許文献１参照。）。
【００１１】
上記のような投げ釣り用遊動式釣り具は、魚は錘の重さを余り感じることなく釣り竿にその魚信を伝えることが出来るが、この様な投げ釣り用遊動式釣り具の場合には、（１）錘が直接海底に沈むようになっており、この様な重さの釣り具を浮き釣り用にそのまま転用することは出来ず、また、（２）ハリスが錘やハガネ等と絡み合ってしまう、等の欠点がある。
【００１２】
一方、浮き釣り用の遊動式釣り具としては、道糸やハリスにガン玉やカミツブシなどの錘を直接付けて浮きの沈み具合を調整する単純な方法もあるが、その他、ポイントへ投入した後、遊動式浮きが道糸をスライドして海面に浮上してきた時点で、遊動式浮きと道糸との支点の位置において道糸が屈曲したラインを作り、又は道糸を押さえることによって生ずる道糸と浮動式浮きとの間のスライド抵抗を浮き止めに利用するようにした遊動式浮き止め仕掛けがある（例えば、特許文献２参照。）。
【００１３】
【特許文献１】
特開平１１−３４６６１９号公報（要約、図１）
【００１４】
【特許文献２】
特開平１１−１７８４９２号公報（要約、図４）
【００１５】
【発明が解決しようとする課題】
しかしながら、このような従来の浮き釣り用遊動式釣り具においては、やはり魚が餌をくわえた時に錘の抵抗を感じてしまい、餌を放してしまったり、錘の抵抗があるために浮きに魚信が出ずに餌をとられたりしてしまうという問題があった。
【００１６】
従って本発明は、魚が餌をくわえた時に錘の抵抗を感ずることなく浮きに直接魚信が出るようにした浮き釣り用の釣り具を提供することを目的とする。
【００１７】
【課題を解決するための手段】
上記の目的を達成する為、本発明に係る釣り具は、浮き釣り用錘と、該錘を支持すると共に浮きを付けた道糸を遊動可能に通す中空パイプと、を備えたことを特徴としている。
【００１８】
すなわち本発明では、道糸が中空パイプの中を遊動（摺動）可能に通っており、錘はそのパイプに支持されているので、魚は餌をくわえても錘の抵抗は感じない。従って、餌をくわえた状態で魚が少しでも動けば、道糸が引っ張られ、この道糸に付けられている浮きに直接影響が出るので、魚信が取りやすく釣果が大きく向上することになる。
【００１９】
上記の錘としては、上記の中空パイプの外周に挿入される、浮き釣りに必要な個数のリング状のものであり、該中空パイプが、該錘を支持する張出端部を更に有することが出来る。
すなわち、リング状の錘を浮き釣り用に最適な個数だけ該中空パイプの外周に挿入し、これを該パイプの張出端部によって支持することにより、浮き釣り用の錘として最適な状態に浮きを海面上に浮上させることが出来る。
【００２０】
また上記の錘は、該張出端部と共に該パイプの外周上で錘止めによって挟み込んで止めるようにすることが出来る。
これにより、該錘が該パイプの外周を不必要に動いてしまうことを防止することが可能となる。
【００２１】
更に、上記の張出端部は、上記の中空パイプの本体とネジ系合させることが出来る。
これにより、該中空パイプから該張出端部を容易に外すことが可能となり、錘を交換したり、個数を増減させることが容易になる。
【００２２】
また、該張出端部は、該パイプの本体と一体形成されており、該錘としては、該パイプの本体の外周に嵌め込まれる、浮き釣りに必要な個数のリング状のものであって切欠部を有するものを用いることができる。
すなわち、パイプに張出端部を一体形成しておき、所望の数のリング状の錘を該パイプの外周に嵌め込めば、所望の重さの浮き釣り用錘が得られることになる。
【００２３】
また、該パイプは窪み部（溝）を有し、該錘としては、該中空パイプの窪み部に嵌め込まれる、浮き釣りに必要な個数のリング状のものであって切欠部を有するものを用いることも出来る。
すなわち、この様な中空パイプの場合には、所望の数の窪み部を設けておけば、この窪み部にそれぞれリング状の錘を嵌め込むことにより、所望の重さの浮き釣り用錘をパイプに固定させることが可能となる。
【００２４】
更に上記の中空パイプとしては、二箇所の窪み部を有し、これらの窪み部間にハガネを取り付け、このハガネにガン玉又はカミツブシ等の錘を嵌め込んだものとすることも出来る。
この場合には、該中空パイプの外周ではなく、その二箇所の窪み部間に取り付けたハガネに所望の数のリング状の錘を嵌め込めば良いことになる。
【００２５】
更に、上記の中空パイプの道糸を通す孔の直径は該中空パイプの下方の道糸に通常付けられるヨリモドシの直径より小さいものとすることが出来る。
すなわち、通常、針にはハリスを介してヨリモドシが繋がっているが、このヨリモドシの外径より小さい内径の中通し孔を有する中空パイプを用いれば、該中空パイプはヨリモドシで止まることとなり、この状態で魚が餌をくわえた時、道糸が該中空パイプを遊動可能に引っ張って道糸に繋がっている浮きに魚信を伝えることが出来ることになる。
【００２６】
【発明の実施の形態】
実施例（１）
図１は、本発明に係る釣り具の実施例（１）を示したものである。この実施例（１）では、同図（１）の全体図に示すように浮き釣り用遊動式の釣り具として、道糸を遊動可能に通す中空パイプ２と、この中空パイプ２の両端に設けた張出端部３ａ，３ｂと、中空パイプ２の外周に挿入した錘５と、この錘５を張出端部３ａ（逆になる場合は張出端部３ｂ）と共に固定する為の錘止め６とを備えている。
【００２７】
この内、中空パイプ２は、同図（２）の側面図に示すように、道糸（図示せず）を遊動可能（摺動可能）に通すための中通し孔４を有しており、同図（３）の斜視図に示すような外観を有し、更に同図（４）に示す分解図のように、中空パイプ２はその下端にネジ部２ａを有しており、このネジ部２ａが張出端部３ｂ（３ａ）とネジ係合するようになっている。
【００２８】
更に、同図（５）は錘５の斜視図を示しており、この錘５はリング状のものであり、同図（４）に示すように中空パイプ２を張出端部３ｂから外した状態で中空パイプ２に挿入するようになっている。
但し、この錘５は中空パイプ２の外周に挿入しただけでは、中空パイプ２の外周上を動いてしまうので、これを防ぐため、同図（６）に示すように、錘止め６を予め錘５より先に中空パイプ２に挿入し、この後、錘５を浮き釣りに最適な数だけ挿入してネジ部２ａと張出端部３ｂとをネジ係合している。
【００２９】
なお、同図（６）の錘止めの拡大図に示すように、この錘止め６は、掴み易くするために切込部６ａを有し、更に適宜中空パイプ２に固定する為の滑り止め６ｂ，６ｃをその内側に有している。この錘止め６は例えば透明ビニール等で作ることが出来る。
【００３０】
なお、中空パイプ２に設けるネジ部２ａは、上述の如く一方の端部だけでも良く、或いは逆にしても使用できるようにするため、両端に設けても良いことは言うまでもない。またこの中空パイプ２は、魚に違和感を与えないために、透明なプラスチック材料が好ましい。
【００３１】
さらに、パイプ２と張出端部３ａ，３ｂは一体形成してもよく、この場合には、後述する図３（４）に示すような切欠部７ａを設けた錘７を用いればよい。ただし、このときの錘７は、パイプ２に密接挿入される寸法を有することが好ましい。
なお、中空パイプ２は、例えば４〜６ｃｍの長さが適当であり、その本体部分の外径は２〜３ｍｍ程度で、その中通し孔４は１〜１．５ｍ程度を有する。また、張出端部３ａ，３ｂは中空パイプ２よりも、例えば、１ｍｍ程度太い直径（３〜４ｍｍ）を有する。また、中空パイプ２は、直線状のものの他、湾曲したものでもよい。
【００３２】
図２は、図１に示した釣り具の実施例（１）の使用形態を示したものであり、全体で遊動式の浮き釣り用仕掛けを構成している。
図２（１）に示す使用形態では、図１に示した釣り具１における中空パイプ２の中を道糸１１が遊動可能に通っており、この道糸１１は、中空パイプ２の下方においてヨリモドシ１２及びハリス１３を経由して針１４に繋がっている。また中空パイプ２の上方においては浮き止め１６が設けられており、この浮き止め１６の間に浮き１７が接続されている。そして、この道糸１１は、釣り竿１８に設けたリール１９に巻き取られるようになっている。
【００３３】
すなわち、浮き１７の下方の道糸１１を中空パイプ２に通し、ヨリモドシを取り付け、このヨリモドシ１２に更にハリス１３を結び、そしてこのハリス１３に針１４を取り付ける。そして、浮き１７の沈み具合と錘５の個数との最適な関係を予め求めておけば、浮き１７の海面上の最適な浮き具合を得ることが出来る。この時、釣り具１は図２に示すような使用形態において、下方の張出端部３ｂの内径がヨリモドシ１２の外径より小さく作られているので、両者が当たって係止した状態となる。
【００３４】
この時、針１４に付けられた餌を魚１５がくわえると、道糸１１が下方に引っ張られるが、この時、錘５は中空パイプ２の外周に設けられているので、魚１５は錘５の抵抗を感ずることなく直接浮き１７に魚信が出ることになり、餌を取られること無く容易に魚１５を釣り上げることが可能となる。
【００３５】
図２（２）には、道糸１１と浮き１７との接続関係が詳しく示されており、浮き１７はスナップ１７ａに引っかけられ、スナップ１７ａはヨリモドシ１７ｂを介して遊動スイベル１７ｃに繋がっている。そして、この遊動スイベル１７ｃは、浮き止め１６間を遊動することができる。
【００３６】
同図（２）の場合は遊動式浮きを示しているが、同図（３）の場合は、固定式浮きを示しており、浮き１７は同図（２）と同様にスナップ１７ａとヨリモドシ１７ｂを経由した後、浮き止め固定軸１７ｄに繋がっている。この浮き止め固定軸１７ｄの両端にはゴム管１７ｅ，１７ｂを覆せ、その中に道糸１１を入れることで浮き１７を固定させている。
【００３７】
実施例（２）
図３は、本発明に係る釣り具の実施例（２）を示したものである。この実施例（２）においては、同図（１）の全体図に示すように、中空パイプ２に一つ以上の窪み部（溝）２ｂを設け、この窪み部２ｂに錘７を嵌め込んだ点が上記の実施例（１）と異なる点である。
【００３８】
すなわち、中空パイプ２には、同図（２）の側面図及び同図（３）の斜視図に示すように、錘７の数に対応した数の窪み部２ｂを設けており、同図（４）に示すように一部に切欠部７ａを有するリング状錘７を、その切欠部７ａを矢印ａ，ａ’に沿って開いた状態で、パイプ２に嵌め込むことが出来るようにしている。
【００３９】
なお、この窪み部２ｂは、錘７を動かないようにさせる効果があるが、上記の実施例（１）でも述べたように、中空パイプ２の外径が錘７の内径以上であれば、この窪み部２ｂを設けなくても錘を固定させる一定の効果は得られる。従って、この実施例（２）では、張出端部３ａ，３ｂはパイプ２の本体と一体形成させることができるが、実施例（１）と同様にネジ係合させてもよい。
【００４０】
また、この様に窪み部２ｂと錘７を用いることにより、仕掛けを結んだ後でも、この錘７の数を増減することにより錘７全体の重さを微調整することが可能となる。
なお、この実施例（２）の使用形態は図２と同様である。
【００４１】
実施例（３）
図４は、本発明に係る釣り具の実施（３）を示したものである。この実施例（３）では、同図（１）の全体図に示すように、中空パイプ８を用い、この中空パイプ８は両端に窪み部８ａ，８ｂを有し、この窪み部８ａ，８ｂにそれぞれハガネ９の輪９ａ，９ｂを巻き付けて窪み部８ａ−８ｂ間にハガネ９を取り付け、このハガネ９に錘１０を嵌め込んだ点が、上記の実施例（１）及び（２）と異なっている。
【００４２】
さらに、錘１０には、広げたり丸めたり出来るものとして従来より知られているガン玉、カミツブシ等を用いることが出来る。
すなわち、同図（２）の中空パイプ８の側面図に示すように、中空パイプ８は窪み部８ａ，８ｄを有し、同図（３）に示すように、これらの窪み部８ｂ，８ｂにハガネ９（同図（４）の斜視図参照）を取り付ける。この後、図３（４）に示した錘７と同様に切欠部を有するが、大きさが小さいガン玉等の錘１０を、同図（１）に示すように、ハガネ９に嵌め込んでいる。
【００４３】
すなわち、中空パイプ８に設けた窪み部８ａ，８ｂにハガネ９を取り付けて固定し、この後、ガン玉等の錘１０を同図（１）に示すように浮き釣りに適した所望の個数だけ嵌め込めば良いことになる。
なお、この実施例（３）の場合も張出端部３ａ，３ｄは中空パイプ８と一体形成されたもの、或いはネジ系合したもののいずれでも良い。
【００４４】
また、この実施例（３）の使用形態も図２と同様である。
【００４５】
【発明の効果】
以上説明したように本発明に係る釣り具によれば、中空パイプで浮き釣り用錘を支持すると共にこの中空パイプが道糸を遊動可能に通すように構成したので、魚が餌くわえて少しでも動けば、道糸が動いて直接浮きにあたりが出るので、釣果アップに大きく寄与することになる。
【図面の簡単な説明】
【図１】本発明に係る釣り具の実施例（１）を示した図である。
【図２】本発明に係る釣り具の各実施例の使用形態を、実施例（１）を例に挙げて示したものである。
【図３】本発明に係る釣り具の実施例（２）を示したものである。
【図４】本発明に係る釣り具の実施例（３）を示したものである。
【図５】遊動式釣り具の従来例（１）を示した図である。
【図６】遊動式釣り具の従来例（２）を示した図である。
【図７】遊動式釣り具の従来例（３）を示した図である。
【符号の説明】
１  浮き釣り用遊動式釣り具
２，８  中空パイプ
２ａ  ネジ部
２ｂ，８ａ，８ｂ  窪み部（溝）
３ａ，３ｂ  張出端部
４  中通し孔
５，７，１０  錘
６  錘止め
６ａ  切込部
６ｂ，６ｃ  滑り止め
７ａ  切欠部
９，９ａ，９ｂ  ハガネ
１１  道糸
１２  ヨリモドシ
１３  ハリス
１４  針
１５  魚
１６  浮き止め
１７  浮き
１８  釣り竿
１９  リール
図中、同一符号は同一又は相当部分を示す。
【図１】
2004305108.tif 000003
【図２】
2004305108.tif 000004
【図３】
2004305108.tif 000005
【図４】
2004305108.tif 000006
【図５】
2004305108.tif 000007
【図６】
2004305108.tif 000008
【図７】
2004305108.tif 000009
【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
浮き釣り用錘と、
該錘を支持すると共に浮きを付けた道糸を遊動可能に通す中空パイプと、を備えた釣り具において、
該パイプが窪み部を有し、該錘が、該パイプの窪み部に嵌め込まれる、浮き釣りに必要な個数のリング状のものであって切欠部を有するものであることを特徴とした釣り具。
【請求項２】
浮き釣り用錘と、
該錘を支持すると共に浮きを付けた道糸を遊動可能に通す中空パイプと、を備えた釣り具において、
該パイプが、二箇所の窪み部を有し、これらの窪み部間に取り付けたハガネにガン玉又はカミツブシを嵌め込むことを特徴とした釣り具。
【手続補正２】
【補正対象書類名】明細書
【補正対象項目名】００１７
【補正方法】変更
【補正の内容】
【００１７】
【課題を解決するための手段】
上記の目的を達成する為、本発明に係る釣り具は、浮き釣り用錘と、該錘を支持すると共に浮きを付けた道糸を遊動可能に通す中空パイプと、を備えたことを前提としている。


【手続補正３】
【補正対象書類名】明細書
【補正対象項目名】００１８
【補正方法】変更
【補正の内容】
【００１８】
すなわち、道糸が中空パイプの中を遊動（摺動）可能に通っており、錘はそのパイプに支持されているので、魚は餌をくわえても錘の抵抗は感じない。従って、餌をくわえた状態で魚が少しでも動けば、道糸が引っ張られ、この道糸に付けられている浮きに直接影響が出るので、魚信が取りやすく釣果が大きく向上することになる。


【手続補正４】
【補正対象書類名】明細書
【補正対象項目名】００２３
【補正方法】変更
【補正の内容】
【００２３】
そして上記の前提において本発明は、該パイプが窪み部（溝）を有し、該錘としては、該中空パイプの窪み部に嵌め込まれる、浮き釣りに必要な個数のリング状のものであって切欠部を有するものを用いている。
すなわち、この様な中空パイプの場合には、所望の数の窪み部を設けておけば、この窪み部にそれぞれリング状の錘を嵌め込むことにより、所望の重さの浮き釣り用錘をパイプに固定させることが可能となる。


【手続補正５】
【補正対象書類名】明細書
【補正対象項目名】００２６
【補正方法】変更
【補正の内容】
【００２６】
【発明を実施するための最良の形態】
実施例(1)
図１は、本発明に用いられる釣り具の実施例(1)を示したものである。この実施例(1)では、同図(1)の全体図に示すように浮き釣り用遊動式の釣り具として、道糸を遊動可能に通す中空パイプ2と、この中空パイプ2の両端に設けた張出端部3a，3bと、中空パイプ2の外周に挿入した錘5と、この錘5を張出端部3a（逆になる場合は張出端部3b）と共に固定する為の錘止め6とを備えている。


【手続補正６】
【補正対象書類名】明細書
【補正対象項目名】００３７
【補正方法】変更
【補正の内容】
【００３７】
実施例(2)
図3は、本発明に用いられる釣り具の実施例(2)を示したものである。この実施例(2)においては、同図(1)の全体図に示すように、中空パイプ2に一つ以上の窪み部（溝）2bを設け、この窪み部2bに錘7を嵌め込んだ点が上記の実施例(1)と異なる点である。


【手続補正７】
【補正対象書類名】明細書
【補正対象項目名】００４１
【補正方法】変更
【補正の内容】
【００４１】
実施例(3)
図4は、本発明に用いられる釣り具の実施(3)を示したものである。この実施例(3)では、同図(1)の全体図に示すように、中空パイプ8を用い、この中空パイプ8は両端に窪み部8a，8bを有し、この窪み部8a,8bにそれぞれハガネ9の輪9a,9bを巻き付けて窪み部8a-8b間にハガネ9を取り付け、このハガネ9に錘10を嵌め込んだ点が、上記の実施例(1)及び(2)と異なっている。


【手続補正８】
【補正対象書類名】明細書
【補正対象項目名】００４５
【補正方法】変更
【補正の内容】
【００４５】
【発明の効果】
以上説明したように本発明に係る釣り具によれば、魚が餌くわえて少しでも動けば、道糸が動いて直接浮きにあたりが出るので、釣果アップに大きく寄与することになる。


【手続補正９】
【補正対象書類名】明細書
【補正対象項目名】図１
【補正方法】変更
【補正の内容】
【図１】本発明に用いられる釣り具の実施例(1)を示した図である。


【手続補正１０】
【補正対象書類名】明細書
【補正対象項目名】図２
【補正方法】変更
【補正の内容】
【図２】本発明に用いられる釣り具の各実施例の使用形態を、実施例(1)を例に挙げて示したも
のである。


【手続補正１１】
【補正対象書類名】明細書
【補正対象項目名】図３
【補正方法】変更
【補正の内容】
【図３】本発明に用いられる釣り具の実施例(2)を示したものである。


【手続補正１２】
【補正対象書類名】明細書
【補正対象項目名】図４
【補正方法】変更
【補正の内容】
【図４】本発明に用いられる釣り具の実施例(3)を示したものである。


【手続補正１３】
【補正対象書類名】図面
【補正対象項目名】図１
【補正方法】変更
【補正の内容】
【図１】
2004305108.tif 000010
【手続補正１４】
【補正対象書類名】図面
【補正対象項目名】図３
【補正方法】変更
【補正の内容】
【図３】
2004305108.tif 000011
【手続補正１５】
【補正対象書類名】図面
【補正対象項目名】図４
【補正方法】変更
【補正の内容】
【図４】
2004305108.tif 000012